【手続補正書】
【提出日】平成14年11月28日(2002.11.28)
【手続補正１】
【補正対象書類名】明細書
【補正対象項目名】特許請求の範囲
【補正方法】変更
【補正の内容】
【特許請求の範囲】
【請求項１】
熱及び圧力による最終基面への転写のための画像を含む転写シートを製造する方法であって、
第１の面に直接画像を形成し、
基板と、
特に熱のもとで、前記基板に対して比較的弱い親和性を有する前記基板の下層と、
この下層への強力な親和性を有する上層とを備えた転写シートを供給し、
熱と圧力とを用いて前記第１の面から前記転写シートの上層へ画像を転写し、これによって、前記転写シートへ画像を固定すること
を具備する方法。
【請求項２】
熱と圧力とによって最終基面への転写のための画像を有する転写シートを製造する方法であって、
転写シートを供給し、
液体トナー画像を形成し、
前記転写シートに前記画像を転写し、そして、
前記転写シートに前記画像を固定すること
を具備する方法。
【請求項３】
前記画像を転写することは、
熱と圧力とを用いて前記転写シートに画像を転写すること
を有する請求項２に記載の方法。
【請求項４】
前記転写シートは、
基板と、
特に熱のもとで、この基板に対する比較的弱い親和性を有する基板の下層と、
この下層に対する強い親和性を有する上層と
を有する請求項２もしくは３に記載の方法。
【請求項５】
前記シートへの画像の転写中、前記下層は、画像が転写される面に対して上層が有する親和性より高い前記基板に対する親和性を有する請求項１もしくは４に記載の方法。
【請求項６】
前記上層は、アミンが末端基であるポリアミドを有する請求項１、４、もしくは５に記載の方法。
【請求項７】
前記上層は、二酸化ケイ素を有する請求項６に記載の方法。
【請求項８】
前記二酸化ケイ素は、約３％より重い重量に相当する量で提供される請求項７に記載の方法。
【請求項９】
前記二酸化ケイ素は、約２ないし１０％の間の重量で提供される請求項７に記載の方法。
【請求項１０】
前記二酸化ケイ素は、５％より重い重量で提供される請求項７ないし９のいずれか１に記載の方法。
【請求項１１】
前記二酸化ケイ素は、約１０％の重量で提供される請求項１０に記載の方法。
【請求項１２】
前記上層は、ポリエチレンイミンを有する請求項１、４、もしくは５に記載の方法。
【請求項１３】
前記上層は、約１０ｍｇ／ｍ２以上の単位面積あたりの重さを有する請求項１、もしくは４ないし１２のいずれか１に記載の方法。
【請求項１４】
前記上層は、約３０００ｍｇ／ｍ２以下の単位面積あたりの重さを有する請求項１、もしくは４ないし１３のいずれか１に記載の方法。
【請求項１５】
前記上層は、約２０ないし３００ｍｇ／ｍ２の間の単位面積あたりの重さを有する請求項１、もしくは４ないし１３のいずれか１に記載の方法。
【請求項１６】
前記下層は、線状のポリビニルピリジンを有する請求項１、もしくは４ないし１５のいずれか１に記載の方法。
【請求項１７】
前記ポリビニルピリジンは、約４０，０００と２００，０００との間の分子量を有する請求項１６に記載の方法。
【請求項１８】
前記下層は、ビニルピリジンとスチレンとの共重合体を有する請求項１、もしくは４ないし１５のいずれか１に記載の方法。
【請求項１９】
前記ビニルピリジンとスチレンとの共重合体は、６０，０００と１００，０００との間の分子量を有する請求項１８に記載の方法。
【請求項２０】
前記下層は、１０，０００と５００，０００との間の分子量を有する請求項１５もしくは１８に記載の方法。
【請求項２１】
前記下層は、ポリエチレンメタクリル酸の共重合体を有する請求項１、もしくは４ないし１５のいずれか１に記載の方法。
【請求項２２】
前記下層は、２％と１０％との間の二酸化ケイ素を有する請求項２１に記載の方法。
【請求項２３】
前記下層は、約１００ｍｇ／ｍ２以上の単位面積あたりの重さを有する請求項１、もしくは４ないし１５のいずれか１に記載の方法。
【請求項２４】
前記下層は、約３０００ｍｇ／ｍ２以下の単位面積あたりの重さを有する請求項１、もしくは４ないし２３のいずれか１に記載の方法。
【請求項２５】
前記下層は、約３００ｍｇ／ｍ２と６００ｍｇ／ｍ２との間の重さを有する請求項１、もしくは４ないし２４のいずれか１に記載の方法。
【請求項２６】
前記画像を形成することは、
静電気的工程を用いて画像を形成することを有する請求項１ないし２５のいずれか１に記載の方法。
【請求項２７】
前記画像を形成することは、
マルチカラー画像を形成することを有する請求項１ないし２６のいずれか１に記載の方法。
【請求項２８】
前記マルチカラー画像を形成することは、
連続したカラーセパレーションを形成し、
中間の転写部材に順次このセパレーションを転写すること
を有する請求項２７に記載の方法。
【請求項２９】
前記転写シートへ画像を転写することは、
前記中間の転写部材から前記転写シートへ、一まとめとしてセパレーションを転写することを有する請求項２８に記載の方法。
【請求項３０】
前記転写シートへ画像を転写することは、
前記中間の転写部材から前記転写シートへ、順次セパレーションを転写することを有する請求項２８に記載の方法。
【請求項３１】
画像を受けて、最終基面に前記画像を転写することができる熱転写シートであって、
プラスチック材料からなるシートと、
ポリビニルピリジン、ビニルピリジンの共重合体、並びにスチレンとポリエチレンメタクリル酸の共重合体からなるグループから選択されたポリマーを備えた下層を有する前記シートのコーティングと、
上層と
を具備する熱転写シート。
【請求項３２】
画像を受けて、最終基面に前記画像を転写することができる熱転写シートであって、
プラスチック材料からなるシートと、
下層と、アミンが末端基であるポリアミド及びポリエチレンイミンからなるグループから選択されるポリマーを備えた上層とを有する前記シートのコーティングと
を具備する熱転写シート。
【請求項３３】
前記下層は、ポリビニルピリジン、ビニルピリジンの共重合体、並びにスチレンとポリエチレンメタクリル酸の共重合体からなるグループから選択されたポリマーを有する請求項３２に記載のシート。
【請求項３４】
前記上層は、アミンが末端基であるポリアミドを有する請求項３１ないし３３のいずれか１に記載のシート。
【請求項３５】
前記上層は、二酸化ケイ素を有する請求項３４に記載のシート。
【請求項３６】
前記二酸化ケイ素は、約２％以上の重量で提供される請求項３５に記載のシート。
【請求項３７】
前記二酸化ケイ素は、約１０％以上の重量で提供される請求項３５もしくは３６に記載の方法。
【請求項３８】
前記上層は、ポリエチレンイミンを有する請求項３１もしくは３３に記載のシート。
【請求項３９】
前記上層は、約１０ｍｇ／ｍ２以上の単位面積あたりの重さを有する請求項３１ないし３８のいずれか１に記載のシート。
【請求項４０】
前記上層は、約３０００ｍｇ／ｍ２以下の単位面積あたりの重さを有する請求項３１ないし３８のいずれか１に記載のシート。
【請求項４１】
前記上層は、約２０ないし３００ｍｇ／ｍ２の間の単位面積あたりの重さを有する請求項３１ないし４０のいずれか１に記載のシート。
【請求項４２】
前記下層は、線状のポリビニルピリジンを有する請求項３１ないし４１のいずれか１に記載のシート。
【請求項４３】
前記ポリビニルピリジンは、約４０，０００と２００，０００との間の分子量を有する請求項４２に記載のシート。
【請求項４４】
前記下層は、ビニルピリジンとスチレンとの共重合体を有する請求項３１ないし４１のいずれか１に記載のシート。
【請求項４５】
前記ビニルピリジンとスチレンとの共重合体は、６０，０００と１００，０００との間の分子量を有する請求項４４に記載のシート。
【請求項４６】
前記下層は、１０，０００と５００，０００との間の分子量を有する請求項４４もしくは４５に記載のシート。
【請求項４７】
前記下層は、ポリエチレンメタクリル酸の共重合体を有する請求項３１ないし４１のいずれか１に記載のシート。
【請求項４８】
前記下層は、約２％と１０％との間の二酸化ケイ素を有する請求項４７に記載のシート。
【請求項４９】
前記下層は、約１００ｍｇ／ｍ２以上の単位面積あたりの重さを有する請求項３１ないし４８のいずれか１に記載のシート。
【請求項５０】
前記下層は、約３０００ｍｇ／ｍ２以下の単位面積あたりの重さを有する請求項３１ないし４９のいずれか１に記載のシート。
【請求項５１】
前記下層は、約３００ｍｇ／ｍ２と６００ｍｇ／ｍ２との間の重さを有する請求項３１ないし５０のいずれか１に記載のシート。
【請求項５２】
前記上層に形成された画像をさらに具備する請求項３１ないし５１のいずれか１に記載のシート。
【請求項５３】
前記画像は、トナー画像である請求項５２に記載のシート。
【請求項５４】
前記画像は、液体トナー画像である請求項５３に記載のシート。